(57)【特許請求の範囲】
【請求項１】
ホログラム記録媒体を保持するテーブルと、
該ホログラム記録媒体にデータを記録する際、該ホログラム記録媒体に記録を行うためのレーザ光を照射するレーザ光照射手段と、
該レーザ光を反射させることで該ホログラム記録媒体に記録するデータに相当する信号を含んだ情報レーザ光を作成するデジタルマイクロミラーデバイスである情報レーザ光作成手段と、
該ホログラム記録媒体にデータを記録する際、該情報レーザ光の焦点が該ホログラム記録媒体の記録層の所定の位置に合うようサーボ制御するためのサーボ用レーザ光を照射するサーボ用レーザ光照射手段とにより構成されたホログラム記録装置において、
該サーボ用レーザ光を、該情報レーザ光作成手段に向けて照射するよう光路を変更するサーボ用レーザ光光路変更手段と、
該情報レーザ光作成手段の前面に設置可能で、該光路を変更されたサーボ用レーザ光と、該光路を変更されたサーボ用レーザ光が該情報レーザ光作成手段において反射されたサーボ用レーザ光とを受光し、受光したサーボ用レーザ光の位置を検出する受光位置検出手段と、
該情報レーザ光作成手段の位置と角度を調整する情報レーザ光作成手段調整手段とを備えることを特徴とするホログラム記録装置。
【請求項２】
前記サーボ用レーザ光光路変更手段は、ビームスプリッタ又はダイクロイックミラーを、レーザ光の進行方向が異なる別のビームスプリッタ又はダイクロイックミラーに切り替える手段であることを特徴とする請求項１記載のホログラム記録装置。
【請求項３】
前記受光位置検出手段は、レーザ光を透過すると共に、該レーザ光の透過位置が目視で確認できるスケールが表示されたものであることを特徴とする請求項１又は請求項２記載のホログラム記録装置。
【請求項４】
前記受光位置検出手段は、中央部分でレーザ光を透過すると共に、該レーザ光の透過位置が目視で確認でき、該レーザ光を受光し受光位置に基づく信号を出力する光学素子を該中央部分の両側に備えることを特徴とする請求項１又は請求項２記載のホログラム記録装置。
【請求項５】
ホログラム記録媒体を保持するテーブルと、
該ホログラム記録媒体にデータを記録する際、該ホログラム記録媒体に記録を行うためのレーザ光を照射するレーザ光照射手段と、
該レーザ光を反射させることで該ホログラム記録媒体に記録するデータに相当する信号を含んだ情報レーザ光を作成するデジタルマイクロミラーデバイスである情報レーザ光作成手段と、
該ホログラム記録媒体にデータを記録する際、該情報レーザ光の焦点が該ホログラム記録媒体の記録層の所定の位置に合うようサーボ制御するためのサーボ用レーザ光を照射するサーボ用レーザ光照射手段とにより構成されたホログラム記録装置の該情報レーザ光作成手段の位置と角度を調整するホログラム記録装置の情報レーザ光作成手段の調整方法において、
該サーボ用レーザ光を、該情報レーザ光作成手段に向けて照射するよう光路を変更するサーボ用レーザ光光路変更ステップと、
該情報レーザ光作成手段の前面で、該光路を変更されたサーボ用レーザ光と、該光路を変更されたサーボ用レーザ光が該情報レーザ光作成手段において反射されたサーボ用レーザ光とを受光し、受光したサーボ用レーザ光の位置を検出しながら、検出したサーボ用レーザ光の位置に基づいて該情報レーザ光作成手段の位置と角度を調整する情報レーザ光作成手段調整ステップとからなることを特徴とするホログラム記録装置の情報レーザ光作成手段の調整方法。
【請求項６】
前記サーボ用レーザ光光路変更ステップは、ビームスプリッタ又はダイクロイックミラーを、レーザ光の進行方向が異なる別のビームスプリッタ又はダイクロイックミラーに切り替えることを特徴とする請求項５記載のホログラム記録装置の情報レーザ光作成手段の調整方法。
【請求項７】
前記情報レーザ光作成手段調整ステップは、レーザ光を透過すると共に該レーザ光の透過位置が目視で確認できるスケールが表示されたものを使用することを特徴とする請求項５又は請求項６記載のホログラム記録装置の情報レーザ光作成手段の調整方法。
【請求項８】
前記情報レーザ光作成手段調整ステップは、中央部分でレーザ光を透過すると共に該レーザ光の透過位置が目視で確認でき、該レーザ光を受光し受光位置に基づく信号を出力する光学素子を該中央部分の両側に備えるものを使用することを特徴とする請求項５又は請求項６記載のホログラム記録装置の情報レーザ光作成手段の調整方法。
【発明の詳細な説明】
【技術分野】
【０００１】
本発明は、ホログラム記録媒体に情報レーザ光を照射してデータの記録を行うホログラム記録装置及びホログラム記録装置の情報レーザ光作成手段の調整方法に関する。
【背景技術】
【０００２】
従来より、記録媒体に記録するデータの容量を大きくするため、ホログラム記録媒体へ多重記録を行う研究が進められている。ホログラム記録媒体へレーザ照射により記録を行う際には、記録するデータを光変調して情報を持たせた情報用レーザ光と単調なレーザ光である参照用レーザ光を重ねて照射するか、それぞれのレーザ光を別の方向から記録媒体の同じ位置に照射するかして、２つのレーザ光を干渉させることを行っている。
【０００３】
記録するデータを光変調して情報を持たせるには、情報レーザ光作成手段である空間光変換器（SLM：Spatial Light Modu1ator）を使用するが、この空間光変換器にはレーザ光を透過させて光変調させるもののほかに、例えば特許文献１で示されている装置で使われているデジタルマイクロミラーデバイス（以下、ＤＭＤという）のように、光を反射させて光変調させるものがある。ＤＭＤは、周期構造を持った微小なミラーの集合体であり、入射した光を画素ごとに反射方向を変えることで光変調させるものである。
【０００４】
さて、ホログラム記録媒体へレーザ光を照射することにより記録を行う際は、レーザ光の焦点位置が最適な位置になるようホログラム記録媒体の位置に応じて、対物レンズを上下方向に変動させるフォーカスサーボ制御を行う必要がある。この制御のためには、特許文献１にあるように情報用レーザ光及び参照用レーザ光とは異なった波長のサーボ用のレーザ光を同時にホログラム記録媒体へ照射し、このレーザ光の反射光に基づく信号が最適になるよう対物レンズのアクチュエータを上下方向に変動させる制御を行うのが通常である。
【特許文献１】特開２００４−３３５０４４号公報
【発明の開示】
【発明が解決しようとする課題】
【０００５】
しかしながら、従来のホログラム記録装置では、情報レーザ光作成手段であるＤＭＤの位置と角度の調整を情報用レーザ光の照射位置により行っていたが、情報用レーザ光の照射位置は、ＤＭＤ以外の光学素子やレーザ光源の位置や角度の影響も受けることや、情報用レーザ光の照射位置からではＤＭＤの調整方向がわかりにくいことから、調整が完了するまでに時間がかかり、調整作業の効率が悪い。
【０００６】
また、従来のホログラム記録装置は、装置自体に調整手段を持たないため、長期間経過後、改めてＤＭＤの位置と角度を調整しようとすると、専用の設備が必要になり装置の維持にかかるコストが高くなるという問題がある。
【０００７】
本発明は、このような事情に鑑みてなされたもので、情報レーザ光作成手段の位置と角度の調整を効率よく行えるとともに、装置の維持にかかるコストを抑えることが可能なホログラム記録装置及びホログラム記録装置の情報レーザ光作成手段の調整方法を提供することにある。
【課題を解決するための手段】
【０００８】
請求項１記載のホログラム記録装置は、サーボ用レーザ光を、デジタルマイクロミラーデバイスである情報レーザ光作成手段に向けて照射するよう光路を変更するサーボ用レーザ光光路変更手段と、情報レーザ光作成手段の前面に設置可能で、光路を変更されたサーボ用レーザ光と、光路を変更されたサーボ用レーザ光が情報レーザ光作成手段において反射されたサーボ用レーザ光とを受光し、受光したサーボ用レーザ光の位置を検出する受光位置検出手段と、情報レーザ光作成手段の位置と角度を調整する情報レーザ光作成手段調整手段とを備えることを特徴とする。
【０００９】
請求項２記載のホログラム記録装置は、サーボ用レーザ光光路変更手段が、ビームスプリッタ又はダイクロイックミラーを、レーザ光の進行方向が異なる別のビームスプリッタ又はダイクロイックミラーに切り替える手段であることを特徴とする。
【００１０】
請求項３記載のホログラム記録装置は、受光位置検出手段が、レーザ光を透過すると共に、レーザ光の透過位置が目視で確認できるスケールが表示されたものであることを特徴とする。
【００１１】
請求項４記載のホログラム記録装置は、受光位置検出手段が、中央部分でレーザ光を透過すると共に、レーザ光の透過位置が目視で確認でき、レーザ光を受光し受光位置に基づく信号を出力する光学素子を中央部分の両側に備えることを特徴とする。
【００１２】
請求項５記載のホログラム記録装置の情報レーザ光作成手段の調整方法は、サーボ用レーザ光を、デジタルマイクロミラーデバイスである情報レーザ光作成手段に向けて照射するよう光路を変更するサーボ用レーザ光光路変更ステップと、情報レーザ光作成手段の前面で、光路を変更されたサーボ用レーザ光と、光路を変更されたサーボ用レーザ光が情報レーザ光作成手段において反射されたサーボ用レーザ光とを受光し、受光したサーボ用レーザ光の位置を検出しながら、検出したサーボ用レーザ光の位置に基づいて情報レーザ光作成手段の位置と角度を調整する情報レーザ光作成手段調整ステップとからなることを特徴とする。
【００１３】
請求項６記載のホログラム記録装置の情報レーザ光作成手段の調整方法は、サーボ用レーザ光光路変更ステップが、ビームスプリッタ又はダイクロイックミラーを、レーザ光の進行方向が異なる別のビームスプリッタ又はダイクロイックミラーに切り替えることを特徴とする。
【００１４】
請求項７記載のホログラム記録装置の情報レーザ光作成手段の調整方法は、情報レーザ光作成手段調整ステップが、レーザ光を透過すると共にレーザ光の透過位置が目視で確認できるスケールが表示されたものを使用することを特徴とする。
【００１５】
請求項８記載のホログラム記録装置の情報レーザ光作成手段の調整方法は、情報レーザ光作成手段調整ステップは、中央部分でレーザ光を透過すると共にレーザ光の透過位置が目視で確認でき、レーザ光を受光し受光位置に基づく信号を出力する光学素子を中央部分の両側に備えるものを使用することを特徴とする。
【発明の効果】
【００１６】
請求項１及び請求項５の発明によれば、デジタルマイクロミラーデバイスである情報レーザ光作成手段の位置と角度の調整を他の光学素子の調整とは独立して行うことができるため、情報レーザ光作成手段の位置と角度の調整を効率よく行え、また調整用の治具は必要にならないため、装置の維持にかかるコストを抑えることが可能である。
【００１７】
請求項２及び請求項６の発明によれば、サーボ用レーザ光光路変更を、ビームスプリッタ又はダイクロイックミラーを、レーザ光の進行方向が異なる別のビームスプリッタ又はダイクロイックミラーに切り替えることで行うため、操作が容易で情報レーザ光作成手段の位置と角度の調整を効率よく行える。
【００１８】
請求項３及び請求項７の発明によれば、情報レーザ光作成手段の調整にレーザ光を透過すると共にレーザ光の透過位置が目視で確認できるスケールが表示されたものを使用することから、簡易なもので容易に情報レーザ光作成手段の調整が可能である。
【００１９】
請求項４及び請求項８の発明によれば、情報レーザ光作成手段の調整に中央部分でレーザ光を透過すると共に、レーザ光の透過位置が目視で確認でき、レーザ光を受光し受光位置に基づく信号を出力する光学素子を中央部分の両側に備えるものを使用することから、高精度な調整が可能となる。
【発明を実施するための最良の形態】
【００２０】
以下、本発明の形態について図面を参照しながら具体的に説明する。図１は、本発明に係るホログラム記録装置の光ヘッドの一例を示す構成図である。図２は、オートコリメータによるホログラム記録装置の光ヘッドの調整を示す説明図である。図３は、受光位置確認用板からビームスプリッタまでの光学素子の調整を行う際のレーザ光の光路を示す説明図である。図４は、受光位置確認用板に記録用レーザ光が当たる位置を検出する際のレーザ光の光路を示す説明図である。図５は、ＤＭＤで反射したレーザ光が受光位置確認用板に当たる位置を検出する際のレーザ光の光路を示す説明図である。図６は、受光位置確認用板の一例を示す正面図である。図７は、ＤＭＤの微小ミラーが向いている方向を示す説明図である。
【００２１】
本実施例のホログラム記録装置の光ヘッド１０は、レーザ光源１００，１３８、コリメートレンズ１０２，１４０、ＤＭＤ１０４、受光位置確認用板１０６、ミラー１０８，１１６、ビームスプリッタ１１０，１２２、ダイクロイックミラー１２０、対物レンズ１２４、アクチュエータ１２６、フォトディテクタ１１２，１３６等から構成されている。
【００２２】
レーザ光源１００は、ホログラム記録媒体ＨＫへの記録を行うための記録用レーザ光を照射するものである。レーザ光源１００が照射するレーザ光は、例えば５３０ｎｍの緑色のレーザである。コリメートレンズ１０２は、レーザ光源１００が照射したレーザ光を平行光にするものである。ミラー１０８，１１６は、レーザ光の進行方向を変えるものである。
【００２３】
ＤＭＤ１０４は、空間光変調器の一種で、周期構造を持った微小なミラーの集合体であり、入射した光を画素ごとに反射方向を変えることで光変調させるものである。ホログラム記録媒体ＨＫへ記録する際にはこの光変調により情報を持たせたレーザ光を作成することができる。また、レーザ光が当たる中心から所定の半径外の微小ミラーの反射方向を同方向にすることにより、単調なレーザ光である参照用のレーザ光を作成することもできる。すなわち、ＤＭＤ１０４は記録用レーザ光を反射させることで、情報用レーザ光と参照用のレーザ光を作成することができる情報レーザ光作成手段である。また、このＤＭＤ１０４は、ＤＭＤ１０４の位置および角度をネジの回転などにより変更することができる機構である情報レーザ光作成手段調整手段を備えている。
【００２４】
受光位置確認用板１０６は、後述するサーボ用レーザ光及びサーボ用レーザ光をＤＭＤ１０４で反射したレーザ光を受光して受光位置を検出するためのものである。この受光位置確認用板１０６は、ＤＭＤ１０４の正面に配置したり、ＤＭＤ１０４の正面から除かれたりできるようになっている。そして、ＤＭＤ１０４の位置と角度の調整時には、ＤＭＤ１０４の正面に配置され、通常のホログラム記録媒体ＨＫへの記録時には除かれる。また、受光位置確認用板１０６は、水平方向の位置および角度をネジの回転などにより変更することができるようになっている。
【００２５】
さらに、受光位置確認用板１０６は、中心部分にミラーをセットできるか、調整位置を変えずに全体をミラーに取り替えることができるようになっている。あるいは受光位置確認用板１０６は、中心部分にミラーを移動させたり待避させたりできる構造を採用することもできる。また、受光位置確認用板１０６は、具体的には図６（ａ）に示すように色付の透明板であり、光を透過させると共に透過位置を目視で確認できる。そしてスケール１０６ａａが表示されており、レーザ光の透過位置を数値で検出することができる。
【００２６】
あるいは、受光位置確認用板１０６は、図６（ｂ）のように色付の透明板であり、中央部分は光を透過させると共に透過位置を目視で確認でき、中心に光の透過位置を合わせるための十字状の印がつけられている。そして、ＤＭＤ１０４側の面には中心の両側にレーザ光を受光し、受光位置に相当する信号を出力するラインＣＣＤなどの光学素子１０６ｂａ，１０６ｂｂが取り付けられており、ＤＭＤ１０４の反対側の面にも光学素子１０６ｃａが取り付けられている。光学素子１０６ｂａ，１０６ｂｂ，１０６ｃａを有することで、作業者は受光位置に相当する信号をコンピュータ処理して表示させることにより、受光位置を検出することができる。
【００２７】
ビームスプリッ夕１１０及びフォトディテク夕１１２は、ホログラム記録媒体ＨＫに記録されたデータを再生するとき、ホログラム記録媒体ＨＫから反射した光を分岐して受光するものである。リレーレンズ１１４，１１８は、レーザ光の断面の大きさを変更するものである。
【００２８】
ダイクロイックミラー１２０は、入射した光の波長により透過と反射を分ける特性を持っており、後述するサーボ用レーザ光と情報用レーザ光、参照用レーザ光とを合わせてホログラム記録媒体ＨＫに照射し、ホログラム記録媒体ＨＫから反射したレーザ光をサーボ用レーザ光と情報用レーザ光、参照用レーザ光とに分ける。
【００２９】
ビームスプリッタ１２２は、所定のレーザ光を透過し、残りの光を反射する光学素子である。そして、ＤＭＤ１０４の位置と角度の調整時にのみダイクロイックミラー１２０と切り替えて使用するサーボ用レーザ光光路変更手段である。
【００３０】
対物レンズ１２４は、サーボ用レーザ光と情報用レーザ光、参照用レーザ光とをホログラム記録媒体ＨＫの所定の位置に合焦させるためのものである。アクチュエータ１２６は、サーボ用レーザ光と情報用レーザ光、参照用レーザ光とをホログラム記録媒体ＨＫの所定の位置に合焦させるよう、サーボ用レーザ光の反射光から作成された信号に基づいて対物レンズ１２４を上下方向に駆動させる。
【００３１】
レーザ光源１３８は、サーボ用レーザ光のレーザ光源であり、出射されるレーザ光は波長が例えば６５０ｎｍの赤色レーザ光である。コリメートレンズ１４０は、レーザ光源１３８が照射したレーザ光を平行光にするものである。偏光ビームスプリッタ１３０は、光の偏光方向により透過と反射を分ける特性を持っており、レーザ光源１３８からのレーザ光を反射し、ホログラム記録媒体ＨＫから反射したレーザ光を透過する。
【００３２】
１／４波長板１２８は、偏光方向を変えるための光学素子であり、レーザ光が二回透過することにより、Ｓ偏光から円偏光、円偏光からＰ偏光のように偏光方向を変える。凸レンズ１３２、シリンドリカルレンズ１３４、フォトディテクタ１３６は、アクチュエータ１２６を駆動するためのフォーカスサーボ用の信号を作成するための光学素子で、本実施例では非点収差法によりフォーカスサーボ用の信号を作成するようになっている。
【００３３】
以上のように構成されたホログラム記録装置の光ヘッド１０におけるＤＭＤ１０４の位置と角度の調整方法について説明する。まず、図２に示すように、ホログラム記録装置の光ヘッド１０をセットするために治具２５とオー卜コリメータ２０とを用意し、オートコリメータ２０からのレーザ光により治具２５がレーザ光に対して垂直になるよう調整する。
【００３４】
次に、治具２５にホログラム記録装置の光ヘッド１０をセットし、オートコリメータ２０からのレーザ光を対物レンズ１２４に当たるようにして、反射光がオートコリメータ２０の中心に来るようにモニタ２１を見ながら対物レンズ１２４の角度を調整する。これで対物レンズ１２４の光軸調整が完了する。
【００３５】
次に、オートコリメータ２０のレーザ光をＯＦＦし、サーボ用レーザ光のレーザ光源１３８からレーザ光を照射して、このレーザ光がオートコリメータ２０の中心に来るようにレーザ光源１３８とコリメートレンズ１４０の位置および角度の調整をする。これで、サーボ用レーザ光の光軸が対物レンズ１２４の光軸に一致する。
【００３６】
次に、図３に示すように、ダイクロイックミラー１２０をビームスプリッタ１２２に切り換える。また、受光位置確認用板１０６の中心部分にミラーをセットして（あるいは受光位置確認用板１０６全体をミラーに取り替えて）、ＤＭＤ１０４の正面に配置し、サーボ用レーザ光のレーザ光源１３８からレーザ光を照射する。このレーザ光は、ビームスプリッタ１２２で所定量が反射し、受光位置確認用板１０６で所定量が反射してオー卜コリメータ２０に入るので、このレーザ光がオートコリメータ２０の中心に来るように受光位置確認用板１０６の角度と光路の途中の光学素子の位置と角度を調整する。
【００３７】
そして、受光位置確認用板１０６の中心部分からミラーを取り除き（あるいは先に取り替えたミラーを受光位置確認用板１０６に戻し）、受光位置確認用板１０６の長さ方向の位置を、受光位置確認用板１０６の中心にサーボ用レーザ光が当たるように調整する。
【００３８】
次に、レーザ光源１３８のサーボ用レーザ光をＯＦＦし、図４に示すように、記録用のレーザ光源１００からレーザ光を照射して、このレーザ光を受光位置確認用板１０６が受光する位置を検出する。
【００３９】
次に、図５に示すように、サーボ用レーザ光をレーザ光源１３８から照射して、このレーザ光がＤＭＤ１０４で反射し、反射したレーザ光が受光位置確認用板１０６に当たる２つの位置が、記録用のレーザ光源１００からのレーザ光が当たった位置と、中心から丁度反対側に同じ距離だけ離れた位置とになるようにＤＭＤ１０４の位置と角度を調整する。このときＤＭＤ１０４の微小ミラー１０４ａは、図７に示すように、半分が反対側に同じ角度傾くように制御されている。尚、図４及び図５で示す、レーザ光源１３８，１００からのレーザ光の受光位置確認用板１０６に当たる位置を確かめる方法として、図６（ａ）の受光位置確認用板１０６ａを使用した場合には、スケール１０６ａａにより目視で確認する。また、図６（ｂ）の受光位置確認用板１０６ｂを使用した場合には、光学素子１０６ｂａ，１０６ｂｂ，１０６ｃａにより電気的に確認することになる。ここまでの調整により、サーボ用レーザ光のレーザ光源１３８、各光学素子およびＤＭＤ１０４の位置と角度の調整が完了する。
【００４０】
次に、レーザ光源１３８のサーボ用レーザ光をＯＦＦし、受光位置碓認用板１０６をＤＭＤ１０４の正面から除き、ビームスプリッタ１２２をダイクロイックミラー１２０に切り換えた後、記録用のレーザ光源１００からレーザ光を照射する。このレーザ光は、図１に示す光路でオートコリメータ２０に入るので、このレーザ光がオートコリメータ２０の中心に来るようにレーザ光源１００、コリメー卜レンズ１０２及びミラー１０８の位置と角度の調整を行う。これにより、すべての光学部品の位置と角度の調整が完了する。
【００４１】
本実施例のホログラム記録装置の光ヘッド１０によれば、ＤＭＤ１０４の位置と角度の調整を他の光学素子の調整とは独立して行うことができ、また受光位置確認用板１０６での受光位置からＤＭＤ１０４の調整方向がわかるため、ＤＭＤ１０４の位置と角度の調整を効率よく行える。
【００４２】
また、一度調整が完了すれば、サーボ用レーザ光のレーザ光源１３８、記録用レーザ光のレーザ光源１００及び各光学素子の位置と角度はずれにくいので、ＤＭＤ１０４の位置と角度の調整は、ダイクロイックミラー１２０のビームスプリッタ１２２への切り替えと、受光位置確認用板１０６の中心にサーボ用レーザ光が当たるようにする受光位置確認用板１０６の位置調整と、記録用レーザ光が受光位置確認用板１０６に当たる位置の検出と、サーボ用レーザ光がＤＭＤ１０４で反射されたレーザ光が受光位置確認用板１０６に当たる２つの位置を見ながらのＤＭＤ１０４の位置と角度の調整を行えばよく、調整用の治具は必要にならないため、装置の維持にかかるコストを抑えることが可能である。
【００４３】
また、サーボ用レーザ光の光路変更を、ビームスプリッタ又はダイクロイックミラー１２０を、レーザ光の進行方向が異なる別のビームスプリッタ１２２又はダイクロイックミラーに切り替える構成にすることで、容易な操作でＤＭＤ１０４の位置と角度の調整を効率よく行える。
【００４４】
また、受光位置確認用板１０６に、レーザ光を透過すると共にレーザ光の透過位置が目視で確認できるスケールが表示されたものを使用することで、簡易なもので容易にＤＭＤ１０４の調整が可能である。
【００４５】
さらに、受光位置確認用板１０６に、中央部分でレーザ光を透過すると共に、レーザ光の透過位置が目視で確認でき、レーザ光を受光し受光位置に基づく信号を出力する光学素子１０６ｂａ，１０６ｂｂを中央部分の両側に備えるものを使用することで、高精度な調整が可能となる。
【産業上の利用可能性】
【００４６】
以上のように、本発明によれば、情報レーザ光作成手段の位置と角度の調整を効率よく行えるとともに、装置の維持にかかるコストを抑えることができるホログラム記録装置及びホログラム記録装置の情報レーザ光作成手段の調整方法を提供できる。
【図面の簡単な説明】
【００４７】
【図１】本発明に係るホログラム記録装置の光ヘッドの一例を示す構成図である。
【図２】オートコリメータによるホログラム記録装置の光ヘッドの調整を示す説明図である。
【図３】受光位置確認用板からビームスプリッタまでの光学素子の調整を行う際のレーザ光の光路を示す説明図である。
【図４】受光位置確認用板に記録用レーザ光が当たる位置を検出する際のレーザ光の光路を示す説明図である。
【図５】ＤＭＤで反射したレーザ光が受光位置確認用板に当たる位置を検出する際のレーザ光の光路を示す説明図である。
【図６】受光位置確認用板の一例を示す正面図である。
【図７】ＤＭＤの微小ミラーが向いている方向を示す説明図である。
【符号の説明】
【００４８】
１０・・・・光ヘッド
２０・・・・オートコリメータ
２１・・・・モニタ
２５・・・・治具
１００・・・レーザ光源
１０２・・・コリメートレンズ
１０４・・・ＤＭＤ
１０６・・・受光位置確認用板
１０８・・・ミラー
１１０・・・ビームスプリッタ
１１２・・・フォトディテクタ
１１４・・・リレーレンズ
１１６・・・ミラー
１１８・・・リレーレンズ
１２０・・・ダイクロイックミラー
１２２・・・ビームスプリッタ
１２４・・・対物レンズ
１２６・・・アクチュエータ
１２８・・・１／４波長板
１３０・・・偏光ビームスプリッタ
１３２・・・凸レンズ
１３４・・・シリンドリカルレンズ
１３６・・・フォトディテクタ
１３８・・・レーザ光源
１４０・・・コリメートレンズ
ＨＫ・・・・ホログラム記録媒体
【図１】
0004792940.tif 000002
【図２】
0004792940.tif 000003
【図３】
0004792940.tif 000004
【図４】
0004792940.tif 000005
【図５】
0004792940.tif 000006
【図６】
0004792940.tif 000007
【図７】
0004792940.tif 000008